(57)【要約】【課題】光の照射により複数色の画像の表示が可能な表示媒体において、色を有する画像の追記を可能にする。【解決手段】画像が表示された表示領域に追記装置３からの光が照射されると、表示媒体２１においては、光が照射された部分のコレステリック液晶の配向状態が変化し、光が照射された部分に画像が追記される。書込装置１は、表示領域２１において追記装置３からの光が到達した位置を記憶する。書込装置１は、追記された画像の色を使用者に指示させ、追記装置３からの光が照射される前に表示領域２１に表示させた画像と、追記装置３からの光で追記された画像とを重ねて表示装置２に表示させる際、追記装置３からの光で追記された画像を使用者に指示された色で表示させる。【選択図】図１
2010286992.tif 000002
【特許請求の範囲】
【請求項１】
印加される電圧に応じて第１波長の光を反射する状態と該光を透過する状態のいずれかに変化する第１表示層と、印加される電圧に応じて第２波長の光を反射する状態と該光を透過する状態のいずれかに変化する第２表示層と、光の照射に応じて前記第１表示層と前記第２表示層に印加される分圧電圧を増加させる感光層とを有する表示媒体に対して電圧を印加する電圧印加手段と、
前記表示媒体に光を照射する光照射手段と、
光を出力する追記装置から出力されて前記表示媒体の表面に到達した光の前記表示媒体上の到達位置を取得し、取得位置の位置情報を記憶する記憶手段と、
画像情報を取得する画像取得手段と、
前記記憶手段に記憶された位置情報に基づいて、前記追記装置から出力された光により前記表示媒体に表示された画像を特定し、該特定した画像と前記画像取得手段で取得された画像情報の画像とを重ねた画像を、前記電圧印加手段と前記光照射手段を制御して前記表示媒体に表示させる制御手段と
を有する書込装置。
【請求項２】
前記第１表示層は、光を反射する状態から光を透過する状態に変化する時の第１閾値電圧が、前記第２表示層が光を反射する状態から光を透過する状態に変化する時の第２閾値電圧より低く、前記追記装置からの光が照射される際には前記電圧印加手段により前記第１閾値電圧より低い電圧が印加され、前記感光層へ前記追記装置から出力された光が到達すると、前記第１層において光が到達した部分は、第１波長の光を反射する状態から光を透過する状態に変化すること
を特徴とする請求項２に記載の書込装置。
【請求項３】
前記表示媒体において前記追記装置からの光が到達した位置に表示される画像の色を取得する取得手段を有し、
前記制御手段は、前記記憶手段に記憶された位置情報に基づいて、前記追記装置から出力された光により前記表示媒体に表示された画像を特定し、該特定した画像と前記画像取得手段で取得された画像情報の画像とを重ねた画像を前記電圧印加手段と前記光照射手段を制御して前記表示媒体に表示させ、該特定された画像を前記取得手段で取得された色で表示させること
を特徴とする請求項１または請求項２に記載の書込装置。
【請求項４】
前記制御手段は、前記画像取得手段により取得された画像情報の画像を前記電圧印加手段と前記光照射手段を制御して、前記記憶手段が位置情報の記憶を開始する前に前記表示媒体に表示させ、
前記追記装置からの光が到達した前記表示媒体上の位置を、前記画像情報の画像が前記表示媒体に表示された後に取得すること
を特徴とする請求項１乃至請求項３のいずれかに記載の書込装置。
【請求項５】
使用者に持たれて光を出力する追記装置と、
請求項１乃至請求項４のいずれかに記載の書込装置
を有する画像表示システム。
【発明の詳細な説明】
【技術分野】
【０００１】
本発明は、書込装置及び画像表示システムに関する。
【背景技術】
【０００２】
特許文献１には、コレステリック液晶を有する液晶層と、光に反応して電荷を発生する感光層、および液晶層と感光層を挟んだ電極を有する光書込型の表示媒体が開示されている。この表示媒体においては、電極に電圧を印加し、表示媒体に光を照射すると、光が照射された位置にある液晶の配向状態が変化し、光の照射に応じて画像が表示される。
また、特許文献２には、光書込型の表示媒体に対しペンで画像を記録するシステムが開示されている。このシステムにおいては、表示媒体の表面でペンを移動させると、ペンの移動した軌跡が記憶される。そして、この移動した軌跡を示す画像と、表示媒体に表示されている画像とを重ねた画像が表示媒体に表示される。
【先行技術文献】
【特許文献】
【０００３】
【特許文献１】特開平１１−２３７６４４号公報
【特許文献２】特開２００７−２４１４０５号公報
【発明の概要】
【発明が解決しようとする課題】
【０００４】
本発明は、光の照射により複数色の画像の表示が可能な表示媒体において、色を有する画像の追記を可能にすることを目的とする。
【課題を解決するための手段】
【０００５】
本発明の請求項１に記載の書込装置は、印加される電圧に応じて第１波長の光を反射する状態と該光を透過する状態のいずれかに変化する第１表示層と、印加される電圧に応じて第２波長の光を反射する状態と該光を透過する状態のいずれかに変化する第２表示層と、光の照射に応じて前記第１表示層と前記第２表示層に印加される分圧電圧を増加させる感光層とを有する表示媒体に対して電圧を印加する電圧印加手段と、前記表示媒体に光を照射する光照射手段と、光を出力する追記装置から出力されて前記表示媒体の表面に到達した光の前記表示媒体上の到達位置を取得し、取得位置の位置情報を記憶する記憶手段と、画像情報を取得する画像取得手段と、前記記憶手段に記憶された位置情報に基づいて、前記追記装置から出力された光により前記表示媒体に表示された画像を特定し、該特定した画像と前記画像取得手段で取得された画像情報の画像とを重ねた画像を、前記電圧印加手段と前記光照射手段を制御して前記表示媒体に表示させる制御手段とを有する。
【０００６】
本発明の請求項２に記載の書込装置は、請求項１に記載の構成において、前記第１表示層は、光を反射する状態から光を透過する状態に変化する時の第１閾値電圧が、前記第２表示層が光を反射する状態から光を透過する状態に変化する時の第２閾値電圧より低く、前記追記装置からの光が照射される際には前記電圧印加手段により前記第１閾値電圧より低い電圧が印加され、前記感光層へ前記追記装置から出力された光が到達すると、前記第１層において光が到達した部分は、第１波長の光を反射する状態から光を透過する状態に変化する。
【０００７】
本発明の請求項３に記載の書込装置は、請求項１または請求項２に記載の構成において、前記表示媒体において前記追記装置からの光が到達した位置に表示される画像の色を取得する取得手段を有し、前記制御手段は、前記記憶手段に記憶された位置情報に基づいて、前記追記装置から出力された光により前記表示媒体に表示された画像を特定し、該特定した画像と前記画像取得手段で取得された画像情報の画像とを重ねた画像を前記電圧印加手段と前記光照射手段を制御して前記表示媒体に表示させ、該特定された画像を前記取得手段で取得された色で表示させる。
【０００８】
本発明の請求項４に記載の書込装置は、請求項１乃至請求項３のいずれかの構成において、前記制御手段は、前記画像取得手段により取得された画像情報の画像を前記電圧印加手段と前記光照射手段を制御して、前記記憶手段が位置情報の記憶を開始する前に前記表示媒体に表示させ、前記追記装置からの光が到達した前記表示媒体上の位置を、前記画像情報の画像が前記表示媒体に表示された後に取得する。
【０００９】
本発明の請求項５に記載の画像表示システムは、使用者に持たれて光を出力する追記装置と、請求項１乃至請求項４のいずれかに記載の書込装置を有する。
【発明の効果】
【００１０】
請求項１，５に記載の発明によれば、光の照射により複数色の画像の表示が可能な表示媒体において、色を有する画像の追記を容易に行うことができる。
請求項２に記載の発明によれば、画像の追記時に表示層の状態を変化させる制御が容易となる。
請求項３に記載の発明によれば、追記される画像を取得された色で表示することができる。
請求項４に記載の発明によれば、画像情報の画像が表示された後に表示媒体に画像を追記することができる。
【図面の簡単な説明】
【００１１】
【図１】本発明の一実施形態に係る装置の外観を示した図である。
【図２】追記装置３のハードウェア構成を示したブロック図である。
【図３】表示装置２の表示媒体２１の断面の模式図である。
【図４】表示層に印加される電圧と表示層の反射率の関係を示した図である。
【図５】書込装置１のハードウェア構成を示したブロック図である。
【図６】電圧印加部１０３が出力する信号の波形を示した図である。
【図７】表示領域２１に表示される画像の一例である。
【図８】実施形態の動作を説明するための図である。
【図９】表示デバイス１０６Ａに表示される画像を例示した図である。
【図１０】表示領域２１に表示される画像の一例である。
【図１１】第２実施形態に係る表示媒体２１の断面の模式図である。
【図１２】第２実施形態の表示層に印加される電圧と表示層の反射率の関係を示した図である。
【図１３】表示デバイス１０６Ａに表示される画像を例示した図である。
【発明を実施するための形態】
【００１２】
［第１実施形態］
（全体構成）
図１は、本発明の一実施形態に係る表示装置２、書込装置１および追記装置３の外観の模式図である。
【００１３】
表示装置２は、照明器具の光や太陽光などの外光を反射して画像の表示を行う反射型の表示装置である。表示装置２は、矩形で板状の形状をしており、コレステリック液晶を有する表示層と、光に反応して電荷を発生する感光体を有する感光層、および表示層と感光層を挟んだ導電層が積層された表示媒体２１を備えている。
表示装置２は、導電層にパルス状の信号が印加されている状態で書込装置１または追記装置３によって光が照射されると、光が照射された位置にあるコレステリック液晶の配向状態が変化する。すると、光の照射に応じて表示層が外光を透過する部分と外光を反射する部分とに分かれ、画像を表示する。
【００１４】
ペンなどの筆記具と同様の形状をした追記装置３は、表示装置２に表示された画像に対して画像の追記を行う際に使用される装置であり、先端部分に光を出力する光源を有している。また、追記装置３は、追記装置３の位置を書込装置１で検出するために、赤外線を出力する赤外線出力部３３と、超音波を出力する超音波出力部３４を備えている。
【００１５】
書込装置１は、図１に示したように書込装置１の上に載せられた表示装置２に画像を書き込んで表示させる装置である。書込装置１は、表示装置２の導電層と電気的に接続される端子と、表示装置２の表示媒体２１に光を照射する光源を備えており、端子を介して表示装置２の導電層に信号を印加しつつ表示装置２に対して光を照射し、表示装置２に画像を表示させる。
また、書込装置１は、追記装置３の位置を検出するため、追記装置３から出力される赤外線を検知するセンサ１０４ｂと、追記装置３から出力される超音波を検知するセンサ１０４ａ，１０４ｃを備えている。書込装置１は、これらのセンサから出力される信号を基にして追記装置３の位置を検知し、表示装置２の表示媒体２１の表面において移動した追記装置３の位置を示すデータを記憶する。
【００１６】
（追記装置３の構成）
図２は、追記装置３のハードウェア構成を示したブロック図である。
光源３２は、特定の波長のレーザ光を出力する素子を備えており、制御部３１からの制御の下、レーザ光を出力する。
赤外線出力部３３は、赤外線を出力する発光ダイオードを備えており、制御部３１からの制御の下、赤外線を予め定められた周期で出力する。また、超音波出力部３４は、超音波を出力する素子を備えており、制御部３１からの制御の下、赤外線の出力と同じ周期で同期して超音波を出力する。スイッチ３５は、レーザ光、赤外線および超音波の出力／非出力を切り替えるためのスイッチであり、制御部３１に接続されている。
制御部３１は、ＣＰＵ（Central Processing Unit）、ＲＯＭ（Read Only Memory）、ＲＡＭ（Random Access Memory）、入力ポートおよび出力ポートなどを備えた、所謂マイクロコンピュータを有している。ＲＯＭには、各部を制御するための制御プログラムが記憶されており、ＣＰＵにより制御プログラムが実行されると、追記装置３の各部が制御され、スイッチ３５にされた操作に応じて、レーザ光、赤外線および超音波の出力／非出力が制御される。
【００１７】
（表示装置２の構成）
図３は、表示装置２の表示媒体２１の断面を模式的に示した図である。表示媒体２１は、基板層、導電層、表示層、着色層、感光層及びラミネート層を積層した構成となっており、各層の形状は矩形となっている。図３においては、基板層２０１Ａが配置されている側が、使用者が画像を視認し、追記装置３からの光が照射される側（表示面側）となっており、基板層２０１Ｃが配置されている側が、書込装置１から出力された光が照射される側（書込面側）となっている。
【００１８】
基板層２０１Ａ，２０１Ｂ，２０１Ｃは、画像を表示する部分の保護や形状の保持を行う層であり、基板層２０１Ａと基板層２０１Ｃは表示装置２の表面に露出している。また、基板層２０１Ｂは、導電層２０２Ｂと導電層２０２Ｃとの間を絶縁する役割を果たしている。なお、本実施形態においては各基板層は光を透過するポリエチレンテレフタレートで形成されているが、各基板層の素材は、ポリエチレンテレフタレートに限定されるものではなく、透明性及び絶縁性を有するのであれば他の素材であってもよい。
【００１９】
導電層２０２Ａ，２０２Ｂ，２０２Ｃ，２０２Ｄは、本実施形態においては酸化インジウムスズで形成されており、透明で光を透過し、且つ導電性を有する層である。なお、各導電層は、透明で光を透過して導電性を有するのであれば、その素材は酸化インジウムスズに限定されず、他の素材であってもよい。
導電層２０２Ａは、基板層２０１Ａの書込面側に接しており、導電層２０２Ｂは基板層２０１Ｂの表示面側に接している。また、導電層２０２Ｃは、基板層２０１Ｂの書込面側に接しており、導電層２０２Ｄは基板層２０１Ｃの表示面側に接している。
また、導電層２０２Ａには端子２０３Ａが接続され、導電層２０２Ｂには端子２０３Ｂが接続されており、導電層２０２Ｃには端子２０３Ｃが接続され、導電層２０２Ｄには端子２０３Ｄが接続されている。端子２０３Ａ〜２０３Ｄは、電圧が印加される端子であり、表示装置２の表面に露出するように配置されている。
【００２０】
導電層２０２Ａの書込面側に接している表示層２０４Ｂ（第１表示層）、表示層２０４Ｂの書込面側に接している表示層２０４Ｇ（第２表示層）、および導電層２０２Ｃの書込面側に接している表示層２０４Ｒは、コレステリック液晶と、光を透過する樹脂など複数の材料からなる層であり、樹脂の中にコレステリック液晶が分散した構成となっている。
コレステリック液晶は、液晶分子がらせん状に捩れて配向しており、電場によって配向が変化し、入射する光のうち特定の波長の光を反射する状態又は光を透過する状態に変化する。なお、本実施形態においては、表示層２０４Ｂのコレステリック液晶は青の光（波長が４００ｎｍ〜５００ｎｍの範囲内の光）を反射し、表示層２０４Ｇのコレステリック液晶は緑の光（波長が５００ｎｍ〜６００ｎｍの範囲内の光）を反射し、表示層２０４Ｒのコレステリック液晶は赤の光（波長が６００ｎｍ〜７００ｎｍの範囲内の光）を反射するように調整されているが、各表示層が反射する光は上述のものに限定されるものではない。表示層毎に各々異なる予め定められた波長帯の光を反射するように、コレステリック液晶の材料を選択してもよい。
また、各表示層に用いられている樹脂は、コレステリック液晶を保持し、液晶の流動（画像の変化）を抑制する機能を有するものであり、液晶材料に溶解せず、また液晶と相溶しない液体を溶剤とする高分子材料が用いられている。また、各表示層に用いられている樹脂は、外力に耐える強度をもち、光に対して透過性を示す。
【００２１】
導電層２０２Ｂの表示面側に接している感光層２０５Ｒと、導電層２０２Ｄの表示面側に接している感光層２０５ＢＧは、光電効果が生じる層であり、本実施形態においては、電荷発生層２０５１，２０５３と電荷輸送層２０５２を有し、電荷発生層２０５１、電荷輸送層２０５２、電荷発生層２０５３の順で積層された構造となっている。
感光層は、光が照射されると、光が照射された部分の抵抗値が低下する。表示層と感光層を挟む導電層に印加される電圧は、表示層と感光層とに分圧されるが、感光層の抵抗値が低下すると、分圧比が変化して表示層に掛かる電圧が増加する。
【００２２】
電荷発生層２０５１と電荷発生層２０５３は、光を吸収して光キャリアを発生する層である。電荷発生層２０５１は、表示面側の導電層から被照射側の導電層の方向に流れる光キャリアの量を左右し、電荷発生層２０５３は、被照射側の導電層から表示面側の導電層の方向に流れる光キャリアの量を左右している。
電荷輸送層２０５２は、各電荷発生層で発生した光キャリアが注入され、導電層に印加される電圧により生じる電場の方向にドリフトする機能を有する層である。
本実施形態においては、感光層２０５Ｒの電荷発生層は、赤色の電荷発生物質（一例としてジブロモアントアントロン）を有しており、青〜緑色の光を吸収する。また、感光層２０５ＢＧの電荷発生層は、青色と緑色の電荷発生物質（一例としてチタニルフタロシアニン）を有しており、赤色の光を吸収する。
【００２３】
感光層２０５Ｒと表示層２０４Ｇの間と、感光層２０５ＢＧと表示層２０４Ｒの間にあるラミネート層２０７は、表示層を着色層に貼りあわせる際に、凹凸の吸収および接着の役割を果たす目的で設けられる層である。ラミネート層２０７は、ガラス転移点の低い高分子材料からなるものであり、熱や圧力によって表示層と感光層とを密着・接着させることができる材料が選択される。また、少なくとも入射する光に対して透過性を有する。
ラミネート層２０７に用いられる材料としては、粘着性の高分子材料（例えばウレタン樹脂、エポキシ樹脂、アクリル樹脂、シリコーン樹脂）を挙げることができる。
【００２４】
これらの各層が積層された表示媒体２１において、表示層にあるコレステリック液晶は、電圧が印加される前の初期状態がプレーナ相である場合には、印加される電圧の増加に伴ってプレーナ相、フォーカルコニック相、ホメオトロピック相の順番に変化し、初期状態がフォーカルコニック相である場合には、印加される電圧の増加に伴ってフォーカルコニック相、ホメオトロピック相の順番に変化する。
そして、フォーカルコニック相の状態で電圧が除去されると、コレステリック液晶はフォーカルコニック相の状態を保持し、ホメオトロピック相の状態で電圧が除去されると、コレステリック液晶はホメオトロピック相からプレーナ相に変化し、プレーナ相の状態を保持する。
【００２５】
図４（ａ）と図４（ｂ）は、導電層と感光層を介して表示層に印加される電圧と表示層における光の反射率との関係を示した図であり、図４（ａ）の曲線Ｒは、印加される電圧と表示層２０４Ｒにおける光の反射率との関係を示したものであり、図４（ｂ）の曲線Ｇは、印加される電圧と表示層２０４Ｇにおける光の反射率との関係を示したものであり、図４（ｂ）の曲線Ｂは、印加される電圧と表示層２０４Ｂにおける光の反射率との関係を示したものである。
【００２６】
表示層２０４Ｂにおいてプレーナ相またはフォーカルコニック相からフォーカルコニック相へ変化する時の電圧の閾値をＶｂ１、フォーカルコニック相からホメオトロピック相へ変化する時の電圧の閾値をＶｂ２とすると、電圧除去前に導電層と感光層とを介して印加されている電圧がＶｂ２以上の場合、電圧除去後にコレステリック液晶はプレーナ相となって外光中の青の光を反射する。
一方、電圧除去前に導電層と感光層とを介して印加されている電圧がＶｂ１とＶｂ２の間の電圧である場合には、電圧除去後にコレステリック液晶はフォーカルコニック相となって外光が透過する。
【００２７】
また、表示層２０４Ｇにおいてプレーナ相またはフォーカルコニック相からフォーカルコニック相へ変化する時の電圧の閾値をＶｇ１、フォーカルコニック相からホメオトロピック相へ変化する時の電圧の閾値をＶｇ２とすると、電圧除去前に導電層と感光層とを介して印加されている電圧がＶｇ２以上の場合、電圧除去後にコレステリック液晶はプレーナ相となって外光中の緑の光を反射する。
一方、電圧除去前に導電層と感光層とを介して印加されている電圧がＶｇ１とＶｇ２の間の電圧である場合には、電圧除去後にコレステリック液晶はフォーカルコニック相となって外光が透過する。
【００２８】
また、表示層２０４Ｒにおいてプレーナ相またはフォーカルコニック相からフォーカルコニック相へ変化する時の電圧の閾値をＶｒ１、フォーカルコニック相からホメオトロピック相へ変化する時の電圧の閾値をＶｒ２とすると、電圧除去前に導電層と感光層とを介して印加されている電圧がＶｒ２以上の場合、電圧除去後にコレステリック液晶はプレーナ相となって外光中の赤色の光を反射する。
一方、電圧除去前に導電層と感光層とを介して印加されている電圧がＶｒ１とＶｒ２の間の電圧である場合には、電圧除去後にコレステリック液晶はフォーカルコニック相となって外光が透過する。
【００２９】
このように、各表示層のコレステリック液晶は、印加される電圧がプレーナ相（またはフォーカルコニック相）からフォーカルコニック相へ変化する時の電圧の閾値（第１閾値（Ｖｒ１，Ｖｇ１，Ｖｂ１）：表示層の反射率が１０％となる時の電圧）を超えると、フォーカルコニック相に変化し、印加される電圧の電圧値がフォーカルコニック相からホメオトロピック相へ変化する時の電圧の閾値（第２閾値（Ｖｒ２，Ｖｇ２，Ｖｂ２）：表示層の反射率が９０％となる時の電圧）を超えると、ホメオトロピック相に変化する。
【００３０】
（書込装置１の構成）
図５は、書込装置１のハードウェア構成を模式的に示した図である。
制御部１０１は、ＣＰＵ、ＲＯＭ、ＲＡＭ、入力ポートおよび出力ポートなどを備えた、所謂マイクロコンピュータを有している。ＲＯＭには、各部を制御するための制御プログラムが記憶されており、ＣＰＵにより制御プログラムが実行されると、書込装置１の各部が制御される。また、制御プログラムが実行されると、画像を表示装置２に表示させる機能や、追記装置３の位置を検知して検知した位置を示すデータを記憶する機能、表示装置２に表示された画像に対してさらに画像を追記する機能などが実現する。
【００３１】
書込部１０２（光照射手段）は、光を表示媒体２１に照射する機能を有し、画像データに応じて制御部１０１によって制御され、表示媒体２１の感光層２０５Ｒ，２０５ＢＧへ光を照射する。この光は、感光層２０５Ｒや感光層２０５ＢＧが吸収する光の波長域内にピーク強度を持ち、バンド幅の狭い光である。また、この光のスペクトルは、感光層２０５Ｒ，２０５ＢＧが吸収する光の波長域のエネルギーが多く含まれるようなスペクトルである。
書込部１０２としては、光源（たとえば、冷陰極管、キセノンランプ、ハロゲンランプ、ＬＥＤ（Light Emitting Diode）、ＥＬ（Electro Luminescence）等）をアレイ状に配置したものや、光源と導光板とを組み合せたものなどの均一な光源がある。
また、書込部１０２は、光パターンを作る調光素子（たとえば、ＬＣＤ（Liquid Crystal Display）、フォトマスクなど）の組み合わせや、面発光型ディスプレイ（たとえばＣＲＴ（Cathode Ray Tube）、ＰＤＰ（Plasma Display Panel）、ＥＬ、ＬＥＤ、ＦＥＤ（Field Emission Display）、ＳＥＤ（Surface-conduction Electron-emitter Display））などであってもよい。
また、上述した光源や調光素子、あるいは面発光型ディスプレイと光学素子（たとえばマイクロレンズアレイ、セルホックレンズアレイ、プリズムアレイ、視野角調整シート）との組み合わせであってもよい。
【００３２】
電圧印加部１０３は、端子２０３Ａに接続される端子と、端子２０３Ｂに接続される端子を備えており、これらの端子を用いて導電層２０２Ａ及び導電層２０２Ｂへパルス状の交流信号を印加する回路を備えている。また、電圧印加部１０３は、端子２０３Ｃに接続される端子と、端子２０３Ｄに接続される端子を備えており、これらの端子を用いて導電層２０２Ｃ及び導電層２０２Ｄへパルス状の交流信号を印加する。
【００３３】
センサ部１０４は、追記装置３が出力する赤外線を検知するセンサ１０４ｂと、追記装置３が出力する超音波を検知するセンサ１０４ａ，１０４ｃを備えている。センサ１０４ｂは、赤外線を検知すると赤外線を検知したことを示す信号を制御部１０１へ出力する。また、センサ１０４ａ，１０４ｃは、超音波を検知すると超音波を検知したことを示す信号を制御部１０１へ出力する。
【００３４】
インターフェース部１０５は、記憶媒体としてフラッシュメモリを採用したカード型のメモリーカードが装着される端子を備えており、メモリーカードに記憶されたデータを読み出すインターフェースとして機能する。
操作部１０６は、画像を表示する表示デバイス１０６Ａと、透明で表示デバイス１０６Ａの表面に配置されたタッチパネル１０６Ｂを備えている。表示デバイス１０６Ａには、制御部１０１の制御の下、書込装置１を操作するための画面が表示される。また、タッチパネル１０６Ｂは、使用者が触れた位置を示す信号を制御部１０１へ出力する。
記憶部１０７は、不揮発性メモリを備えており、表示装置２の表面で移動した追記装置３の位置を示すデータ（位置情報）を記憶する。
【００３５】
（実施形態の動作）
次に、本実施形態の動作について説明する。なお、以下の説明においては、メモリーカードに記憶された画像情報を表示装置２に表示させ、表示された画像に対して追記装置３で画像の追記を行う際の動作について説明する。
【００３６】
まず、使用者により表示装置２が図１に示したように書込装置１に載せられ、電圧印加部１０３と端子２０３Ａ〜２０３Ｄが電気的に接続される。また、画像を表す画像データ（画像情報）を記録したメモリーカードが挿入口１１に挿入され、メモリーカードがインターフェース部１０５に装着されると、制御部１０１は、メモリーカードが挿入されたことを検知し、メモリーカードに記憶されている画像データのファイル名を表示デバイス１０６Ａに表示する。
ここで、書込装置１の使用者が、表示されたファイル名を選択する操作をタッチパネル１０６Ｂにおいて行うと、選択された画像データが表す画像がメモリーカードから読み出され、画像データの示す画像が表示デバイス１０６Ａに表示される。
また、表示デバイス１０６Ａに表示された画像を表示装置２へ表示させる操作がタッチパネル１０６Ｂにおいて行われると、以下の動作が行われる。
【００３７】
具体的には、まず、制御部１０１は、電圧印加部１０３および書込部１０２を制御して表示層２０４Ｂ、表示層２０４Ｇおよび表示層２０４Ｒのコレステリック液晶の配向状態をプレーナ相にする。なお、本実施形態においては、各表示層の配向状態をプレーナ相にするが、ここで、この処理を行わなくてもよい。
電圧印加部１０３は、図６に示した交流のパルス状の信号（以下、パルス信号と称する）を端子２０３Ａと端子２０３Ｂに対して印加する。ここで、パルス信号の振幅の最大電圧は、Ｖｇ２以上の電圧に設定され、表示層２０４Ｂと表示層２０４Ｇの配向状態は、ホメオトロピック相になる。配向状態がホメオトロピック相になった後、パルス信号の印加が停止され、表示層２０４Ｂ，２０４Ｇの配向状態はプレーナ相になり、表示層２０４Ｂは外光中の青の波長の光を反射する状態となり、表示層２０４Ｇは、外光中の緑の波長の光を反射する状態となる。
また、電圧印加部１０３は、パルス信号を端子２０３Ｃと端子２０３Ｄに対して印加する。ここで、パルス信号の振幅の最大電圧は、Ｖｒ２以上の電圧に設定され、表示層２０４Ｒの配向状態は、ホメオトロピック相になる。配向状態がホメオトロピック相になった後、パルス信号の印加が停止され、表示層２０４Ｒの配向状態はプレーナ相になり、表示層２０４Ｒは、外光中の赤の波長の光を反射する状態となる。
書込装置１は、各表示層のコレステリック液晶の配向状態をプレーナ相にする処理を終了すると、電圧印加部１０３から端子２０３Ａ〜２０３Ｄへの電圧の印加を停止する。
【００３８】
次に書込装置１は、使用者に選択された画像データが表す画像に従って書込部１０２と電圧印加部１０３を制御する。なお、画像データが表す画像は、図７に示したように、白の背景Ｂにマゼンタの矩形の領域Ｐを有する画像であり、赤、緑、青の三色の画像で構成されたカラーの画像である。
具体的には、表示層２０４Ｂ全体と表示層２０４Ｇ全体に分圧される実効電圧をＶｇ２とＶｂ２との間にするパルス信号が電圧印加部１０３から導電層２０２Ａ，２０２Ｂへ印加され、表示層２０４Ｂは、配向状態がホメオトロピック相となり、表示層２０４Ｇは、配向状態がフォーカルコニック相となる。
その際、画像データの示す画像のうち緑色の画像に応じて書込部１０２が制御され、表示媒体２１において緑の光を反射させる部分に書込部１０２から青の光が照射されると、感光層２０５Ｒの抵抗が低下し、光が照射された部分については、実効電圧がＶｇ２以上に増加し、表示層２０４Ｇにおいて電圧が増加した部分はホメオトロピック相となる。そして、パルス信号の印加を停止すると、表示層２０４Ｇの配向状態は、光が照射されていない部分はフォーカルコニック相となり、光が照射された部分はプレーナ相となる。また、表示層２０４Ｂは全面がプレーナ相となる。
【００３９】
次に、表示層２０４Ｂ全体と表示層２０４Ｇ全体に分圧される実効電圧をＶｂ１以下の電圧Ｖｂ３にするパルス信号が電圧印加部１０３から導電層２０２Ａ，２０２Ｂへ印加され、表示層２０４Ｇは上記の配向状態を保ち、表示層２０４Ｂはプレーナ相のままとなる。
その際、画像データの示す画像のうち青色の画像に応じて書込部１０２が制御され、表示媒体２１において、青の光を透過させたい部分について書込部１０２から青の光が照射されると、感光層２０５Ｒの抵抗が低下し、光が照射された部分については、分圧されて印加される実効電圧がＶｂ１とＶｇ１との間の電圧に増加する。これにより、表示層２０４Ｂの配向状態は、光が照射されていない部分はプレーナ相となり、光が照射された部分はフォーカルコニック相となる。また、表示層２０４Ｇは上記の配向状態を保つ。
【００４０】
また、Ｖｒ１とＶｒ２との間の電圧のパルス信号が電圧印加部１０３から導電層２０２Ｃ，２０２Ｄへ印加され、表示層２０４Ｒは、配向状態がフォーカルコニック相となる。
その際、画像データの示す画像のうち赤色の画像に応じて書込部１０２が制御され、表示媒体２１において赤の光を反射させる部分について書込部１０２から赤の光が照射されると、光が照射された部分については、感光層２０５ＢＧの抵抗が低下し、印加される電圧が電圧Ｖｒ２以上の電圧に増加する。そして、パルス信号の印加を停止すると、表示層２０４Ｒの配向状態は、光が照射されていない部分はフォーカルコニック相となり、光が照射された部分はプレーナ相となる。
【００４１】
なお、この時点では、表示媒体２１において背景Ｂの領域は、表示層２０４Ｒが赤の光を反射し、表示層２０４Ｂ，２０４Ｇが光を反射して白の表示となる。一方、表示媒体２１内の領域Ｐの部分は緑の光が反射しないため（緑の光が表示層２０４Ｇを透過するため）、表示層２０４Ｒで赤の光が反射され、表示層２０４Ｂで青の光が反射されて、マゼンタの領域Ｐが表示されることとなる。
【００４２】
図７に示した画像が表示装置２に表示された後、使用者がタッチパネル１０６Ｂを操作し、画像の追記の開始を指示する操作を行うと、制御部１０１は、センサ部１０４から出力される信号の監視を開始する。また、制御部１０１は、電圧印加部１０３を制御し、パルス信号を端子２０３Ａ〜端子２０３Ｄに対して印加する。なお、端子２０３Ａ，２０３Ｂから印加されるパルス信号は、表示層２０４Ｂ，２０４Ｇに分圧されて印加される電圧をＶｂ３にする電圧に設定され、端子２０３Ｃ，２０３Ｄから加されるパルス電圧は、表示層２０４Ｒに印加される電圧をＶｒ３にする電圧に設定される。
【００４３】
そして、使用者が追記装置３を表示装置２の表面に位置させ、スイッチ３５を操作すると、追記装置３の光源３２からレーザ光が出力され、赤外線が赤外線出力部３３から周期的に出力されると共に、超音波出力部３４から超音波が周期的に追記装置３から出力される。
ここで、使用者が追記装置３を表示装置２の表面で移動させ、図８に示したよう領域Ｐ２に追記装置３が出力した光を照射すると、感光層２０５ＢＧにおいて追記装置３からの光が到達した部分には光電効果が生じ、光が照射された部分に掛かる電圧が増加してＶｒ１とＶｒ２の間の電圧になる。
すると、表示層２０４Ｒにおいて追記装置３の光が到達した部分においては、コレステリック液晶の配向状態がフォーカルコニック相に移行し、追記装置３により光が照射された部分は外光中の赤の光を透過する状態となる。
また、感光層２０５Ｒにおいて追記装置３からの光が到達した部分には光電効果が生じ、光が照射された部分に掛かる電圧が増加してＶｂ１とＶｂ２の間の電圧になる。
すると、表示層２０４Ｂにおいて追記装置３の光が到達した部分においては、コレステリック液晶の配向状態がフォーカルコニック相に移行し、追記装置３により光が照射された部分は外光中の青の光を透過する状態となる。
つまり、領域Ｐ２においては、表示層２０４Ｂ，２０４Ｇが透過状態となり、且つ表示層２０４Ｒが透過状態となって領域Ｐ２は黒の画像、即ち、追記された画像として視認される。
なお、本実施形態においては、画像を追記する際、表示層２０４Ｂと表示層２０４Ｇにおいては、表示層２０４Ｂと表示層２０４Ｇのうちフォーカルコニック相へ移行する時の電圧の閾値が低い表示層２０５Ｂのみ配向状態の制御が行われるので、配向状態の制御が容易である。
【００４４】
なお、使用者が書込装置１に対して画像の追記の終了を指示する操作行うまでの間は、追記装置３から周期的に出力されている赤外線は、センサ１０４ｂで検知され、追記装置３から赤外線に同期して出力されている超音波は、センサ１０４ａ，１０４ｃで検知される。
センサ１０４ｂが赤外線を検知すると、赤外線を検知したことを示す信号が制御部１０１へ出力される。また、センサ１０４ａ，１０４ｃが超音波を検知すると、超音波を検知したことを示す信号が制御部１０１へ出力される。
制御部１０１は、各センサから出力された信号の時間差と、予め記憶しているセンサ１０４ａとセンサ１０４ｂの間の距離とを用いて、数学の三角法を用いて追記装置３の位置を求め、求めた位置を示す位置データを記憶部１０７に記憶する。なお、制御部１０１は、センサから信号が入力される度に追記装置３の位置を求め、位置を求める度に位置データを記憶する。つまり、制御部１０１と記憶部１０７は、位置データを記憶する記憶手段として機能する。例えば、移動した追記装置３が、図８において黒丸で示した位置にある時にセンサ１０４ｂが赤外線を検知すると、黒丸の位置を示す位置データが制御部１０１によって記憶部１０７に記憶される。なお、追記装置３の位置においては、表示媒体２１へ光が照射されているため、換言すると、この位置データは、光が照射された位置を表すデータと言える。
【００４５】
次に、使用者が追記装置３の移動を終了し、スイッチ３５を操作すると、追記装置３からのレーザ光、赤外線および超音波の出力が停止される。この後、使用者が、タッチパネル１０６Ｂを操作し、画像の追記の終了を指示する操作を行うと、制御部１０１は、センサ部１０４から出力される信号の監視を終了する。そして、制御部１０１により表示デバイス１０６Ａが制御され、追記された画像の色を選択させる画面（図９参照）が表示デバイス１０６Ａに表示される。
ここで、使用者がタッチパネル１０６Ｂを操作し、追記された画像の色として「青」を選択する操作を行うと、制御部１０１は、追記された画像を使用者が選択した色にする処理を行う。
【００４６】
書込装置１は、使用者に選択された画像データが表す画像と、記憶部１０７に記憶したデータを用いて書込部１０２と電圧印加部１０３を制御する。
具体的には、まず、制御部１０１は、記憶部１０７に記憶された複数の位置データを読み出し、これらの複数の位置データが示す位置を順番に結ぶ線の画像を生成し、この線の画像の色を、使用者が選択した青とする。そして、この線の画像を図７の画像に重畳した重畳画像を生成する。なお、位置データが表す位置は、追記装置３により光が照射された位置を表すため、この位置を結ぶ線の画像は、追記装置３に照射された光の軌跡を表すものと言え、上述した動作で追記された画像を表すものと言える。
【００４７】
次に制御部１０１は、画像データが表す画像を表示させた時と同様にして、生成した重畳画像に基づいて、電圧印加部１０３と書込部１０２を制御する。
ここで、表示層２０４Ｇの配向状態を制御する時には、領域Ｐ２の部分に光が照射されず、表示層２０４Ｇにおいて領域Ｐ２の部分はフォーカルコニック相となって緑の光を透過する状態となる。
また、表示層２０４Ｂの配向状態を制御する時には、領域Ｐ２の部分に書込部１０２から光が照射されず、表示層２０４Ｂの領域Ｐ２の部分はプレーナ相となって青の光を反射する状態となる。
また、表示層２０４Ｒの配向状態を制御する時には、領域Ｐ２の部分に書込部１０２から光が照射され、表示層２０４Ｒの領域Ｐ２の部分はフォーカルコニック相となって赤の光を透過する状態となる。
【００４８】
このような制御がなされると、背景Ｂの部分は赤，青，緑の光を反射する状態（白の表示）とされ、領域Ｐ２は赤と緑の光を透過し、青の光を反射する状態（青の表示）とされ、領域Ｐのうち領域Ｐ２を除いた部分は、緑の光を透過しつつ青と赤の光を反射する状態（マゼンタの表示）とされる。
つまり、使用者が追記した画像（領域Ｐ２の部分）が、使用者が選択した青で表示された状態となる。
【００４９】
上述した動作説明では、領域Ｐ２を青の色とする場合の動作について説明したが、領域Ｐ２を「緑」にする場合、表示層２０４Ｇの配向状態を制御する時には領域Ｐ２の部分に光を照射し、表示層２０４Ｂの配向状態を制御する時には領域Ｐ２の部分に光を照射し、表示層２０４Ｇの配向状態を制御する時には領域Ｐ２の部分に光を照射するようにすればよい。
【００５０】
なお、上述した動作説明では、追記装置３から光が照射される際には導電層２０２Ａ〜２０２Ｄに電圧を印加しているが、導電層２０２Ｃ，２０２Ｄにのみ電圧を印加するようにしてもよい。
なお、表示媒体２１が表示層２０４Ｒを有しない構成の場合、追記装置３から光が照射される際には、表示層２０４Ｂ全体と表示層２０４Ｇ全体に分圧されて印加される実効電圧がＶｂ１より低くなる電圧を導電層２０２Ａ，２０２Ｂに印加し、追記装置３からの光が照射された時に光が照射された部分の電圧がＶｂ１以上となるようにしてもよい。
【００５１】
［第２実施形態］
次に、本発明の第２実施形態について説明する。なお、本発明の第２実施形態においては、表示装置２の表示媒体２１の構成が第１実施形態と異なっている。
【００５２】
（表示装置２の構成）
図１１は、表示装置２の表示媒体２１の断面を模式的に示した図である。表示媒体２１は、基板層、導電層、表示層、感光層、ラミネート層を積層した構成となっている。図１１においては、基板層２０１Ａが配置されている側が、使用者が画像を視認し、追記装置３からの光が照射される側（表示面側）となっており、基板層２０１Ｃが配置されている側が、書込装置１から出力された光が照射される側（書込面側）となっている。なお、表示媒体２１を構成している各層の形状は表示媒体２１と同様に矩形となっている。
なお、図１１において第１実施形態の表示媒体２１と同じ構成については第１実施形態と同じ符号を付している。また、以下の説明において第１実施形態と同じ構成についてはその説明を省略する。
【００５３】
導電層２０２Ａの書込面側に接している表示層２０４ＢＧと、導電層２０２Ｃの書込面側に接している表示層２０４Ｒは、コレステリック液晶と、光を透過する樹脂からなる層であり、樹脂の中にコレステリック液晶が分散した構成となっている。
なお、本実施形態においては、表示層２０４ＢＧのコレステリック液晶は青緑の光を反射し、表示層２０４Ｒのコレステリック液晶は赤の光を反射するように調整されている。
【００５４】
図１２は、導電層と感光層により表示層に印加される電圧と表示層の反射率との関係を示した図であり、表示層２０４ＢＧにおいてプレーナ相からフォーカルコニック相へ変化する時の電圧の閾値をＶｂｇ１、フォーカルコニック相からホメオトロピック相へ変化する時の電圧の閾値をＶｂｇ２とすると、電圧除去前に導電層と感光層とにより印加されている電圧がＶｂｇ２以上の場合、電圧除去後にコレステリック液晶はプレーナ相となって外光中の青緑の光を反射する。
また、電圧除去前に導電層と感光層とにより印加されている電圧がＶｂｇ１とＶｂｇ２の間の電圧である場合には、電圧除去後にコレステリック液晶はフォーカルコニック相となって外光が透過する。
また、表示層２０４Ｒにおいてプレーナ相からフォーカルコニック相へ変化する時の電圧の閾値をＶｒ１フォーカルコニック相からホメオトロピック相へ変化する時の電圧の閾値をＶｒ２とすると、電圧除去前に導電層と感光層とにより印加されている電圧がＶｒ２以上の場合、電圧除去後にコレステリック液晶はプレーナ相となって外光中の赤色の光を反射する。
また、電圧除去前に導電層と感光層とにより印加されている電圧がＶｒ１とＶｒ２の間の電圧である場合には、電圧除去後にコレステリック液晶はフォーカルコニック相となって外光が透過する。
なお、本実施形態においては、表示層２０４ＢＧと表示層２０４Ｒとで、相変化が起こる時の電圧の閾値が異なっているが、本実施形態のように、一つの表示層が一対の導電層で挟まれている場合には、表示層２０４ＢＧと表示層２０４Ｒとで相変化が起こる時の電圧の閾値が同じであってもよい。
【００５５】
（実施形態の動作）
次に、本実施形態の動作について説明する。なお、以下の説明においては、第１実施形態の動作説明と同様にメモリーカードに記憶された画像を表示装置２に表示させ、表示された画像に対して追記装置３で画像の追記を行う際の動作について説明する。
【００５６】
まず、使用者により表示装置２が図１に示したように書込装置１に載せられ、電圧印加部１０３と端子２０３Ａ〜２０３Ｄが電気的に接続される。また、画像を表す画像データを記録したメモリーカードが挿入口１１に挿入され、メモリーカードがインターフェース部１０５に装着されると、制御部１０１は、メモリーカードが挿入されたことを検知し、メモリーカードに記憶されている画像データのファイル名を表示デバイス１０６Ａに表示する。
ここで、書込装置１の使用者が、表示されたファイル名を選択する操作をタッチパネル１０６Ｂにおいて行うと、選択された画像データが表す画像がメモリーカードから読み出され、画像データの示す画像が表示デバイス１０６Ａに表示される。
また、表示デバイス１０６Ａに表示された画像を表示装置２へ表示させる操作がタッチパネル１０６Ｂにおいて行われると、以下の動作が行われる。
【００５７】
具体的には、まず、制御部１０１は、電圧印加部１０３および書込部１０２を制御して表示層２０４ＢＧと表示層２０４Ｒのコレステリック液晶の配向状態をプレーナ相にする。
電圧印加部１０３は、図６に示した交流のパルス状の信号（以下、パルス信号と称する）を端子２０３Ａと端子２０３Ｂに対して印加する。ここで、パルス信号の振幅の最大電圧は、Ｖｂｇ２以上の電圧に設定され、表示層２０４ＢＧの配向状態は、ホメオトロピック相になる。配向状態がホメオトロピック相になった後、パルス信号の印加が停止され、表示層２０４ＢＧの配向状態はプレーナ相になり、表示層２０４ＢＧは、外光中の青緑の波長の光を反射する状態となる。
次に、電圧印加部１０３は、パルス信号を端子２０３Ｃと端子２０３Ｄに対して印加する。ここで、パルス信号の振幅の最大電圧は、Ｖｒ２以上の電圧に設定され、表示層２０４Ｒの配向状態は、ホメオトロピック相になる。配向状態がホメオトロピック相になった後、パルス信号の印加が停止され、表示層２０４Ｒの配向状態はプレーナ相になり、表示層２０４Ｒは、外光中の赤の波長の光を反射する状態となる。
【００５８】
次に書込装置１は、使用者に選択された画像データが表す画像に従って書込部１０２と電圧印加部１０３を制御する。
ここで、画像データが表す画像が図７に示した形状であり、淡黄の背景Ｂに赤の矩形の領域Ｐを有する画像である場合、まず、制御部１０１は電圧印加部１０３を制御し、パルス信号を端子２０３Ａと端子２０３Ｂに対して印加する。ここで、パルス信号によって表示層２０４ＢＧに印加される電圧はＶｂｇ３となる。
そして、感光層２０５Ｒに吸収される光を書込部１０２から出力する。なお、ここでは、図７の背景Ｂの領域を表示媒体２１とすると、領域Ｐの部分にのみ書込部１０２からの光が照射される。
【００５９】
すると、感光層２０５Ｒの領域Ｐの部分には書込部１０２からの光が到達して光電効果が生じ、表示層２０４ＢＧの領域Ｐの部分に掛かる電圧が増加してＶｂｇ１とＶｂｇ２の間の電圧になる。ここで、表示層２０４ＢＧの領域Ｐの部分においては、コレステリック液晶の配向状態がフォーカルコニック相に移行し、表示層２０４ＢＧの領域Ｐの部分は外光中の青緑の光を透過する状態となる。
【００６０】
なお、この時点で表示層２０４Ｒは、全面が赤の光を反射する状態となっているため、表示装置２において背景Ｂの領域は、表示層２０４Ｒが赤の光を反射し、表示層２０４ＢＧが青緑の光を反射して淡黄の表示となる。一方、表示媒体２１内の領域Ｐの部分は青緑の光が反射しないため（青緑の光が表示層２０４ＢＧを透過するため）、表示層２０４Ｒで赤の光が反射されるのみとなり、赤色の領域Ｐが表示されることとなる。
【００６１】
図７に示した画像が表示装置２に表示された後、使用者がタッチパネル１０６Ｂを操作し、画像の追記の開始を指示する操作を行うと、制御部１０１は、センサ部１０４から出力される信号の監視を開始する。また、制御部１０１は、電圧印加部１０３を制御し、パルス信号を端子２０３Ｃと端子２０３Ｄに対して印加する。ここで、表示層２０４Ｒに印加される電圧は、Ｖｒ３（図１２参照）に設定される。
【００６２】
そして、使用者が追記装置３を表示装置２の表面に位置させ、スイッチ３５を操作すると、追記装置３の光源３２からレーザ光が出力され、赤外線が赤外線出力部３３から周期的に出力されると共に、超音波出力部３４から超音波が周期的に追記装置３から出力される。
ここで、使用者が追記装置３を表示装置２の表面で移動させ、図８に示したよう領域Ｐ２に追記装置３が出力した光を照射すると、感光層２０５ＢＧにおいて追記装置３からの光が到達した部分には光電効果が生じ、光が照射された部分に掛かる電圧が増加してＶｒ１とＶｒ２の間の電圧になる。
すると、表示層２０４Ｒにおいて追記装置３の光が到達した部分においては、コレステリック液晶の配向状態がフォーカルコニック相に移行し、追記装置３により光が照射された部分は外光中の赤の光を透過する状態となる。つまり、領域Ｐ２においては、表示層２０４ＢＧが透過状態であり、且つ表示層２０４Ｒが透過状態となって領域Ｐ２は黒の画像、即ち、追記された画像として視認される。
【００６３】
なお、使用者が書込装置１に対して画像の追記の終了を指示する操作行うまでの間は、追記装置３から周期的に出力されている赤外線は、センサ１０４ｂで検知され、追記装置３から赤外線に同期して出力されている超音波は、センサ１０４ａ，１０４ｃで検知される。
センサ１０４ｂが赤外線を検知すると、赤外線を検知したことを示す信号が制御部１０１へ出力される。また、センサ１０４ａ，１０４ｃが超音波を検知すると、超音波を検知したことを示す信号が制御部１０１へ出力される。
制御部１０１は、追記装置３の位置を求め、求めた位置を示す位置データを記憶部１０７に記憶する。
【００６４】
次に、使用者が追記装置３の移動を終了し、スイッチ３５を操作すると、追記装置３からのレーザ光、赤外線および超音波の出力が停止される。この後、使用者が、タッチパネル１０６Ｂを操作し、画像の追記の終了を指示する操作を行うと、制御部１０１は、センサ部１０４から出力される信号の監視を終了する。そして、制御部１０１により表示デバイス１０６Ａが制御され、追記された画像の色を選択させる画面（図１３参照）が表示デバイス１０６Ａに表示される。
ここで、使用者がタッチパネル１０６Ｂを操作し、追記された画像の色として「青緑」を選択する操作を行うと、制御部１０１は、追記された画像の色を取得し、使用者が選択した色にする処理を行う。
【００６５】
書込装置１は、使用者に選択された画像データが表す画像と、記憶部１０７に記憶したデータを用いて書込部１０２と電圧印加部１０３を制御する。
具体的には、まず、制御部１０１は、記憶部１０７に記憶された複数の位置データを読み出し、これらの複数の位置データが示す位置を順番に結ぶ線の画像を生成し、この線の画像の色を、使用者が選択した青緑とする。そして、この線の画像を図７の画像に重畳した重畳画像を生成する。なお、位置データが表す位置は、追記装置３により光が照射された位置を表すため、この位置を結ぶ線の画像は、追記装置３に照射された光の軌跡を表すものと言え、上述した動作で追記された画像を表すものと言える。
【００６６】
次に制御部１０１は、電圧印加部１０３を制御し、パルス信号を端子２０３Ａと端子２０３Ｂに対して印加する。ここで、表示層２０４ＢＧに印加される電圧は、Ｖｂｇ３となる。
そして、感光層２０５Ｒに吸収される光を書込部１０２から表示装置２の書込面側に照射する。
なお、ここでは、図８の背景Ｂの領域を表示媒体２１とすると、先に生成した重畳画像に基づいて、領域Ｐの部分に書込部１０２からの光が照射され、領域Ｐ２の部分には、光が照射されないこととなる。
【００６７】
すると、感光層２０５Ｒの領域Ｐの部分には書込部１０２からの光が到達して光電効果が生じ、表示層２０４ＢＧの領域Ｐの部分に掛かる電圧が増加してＶｂｇ１とＶｂｇ２の間の電圧になる。ここで、表示層２０４ＢＧの領域Ｐの部分においては、コレステリック液晶の配向状態がフォーカルコニック相に移行し、表示層２０４ＢＧの領域Ｐの部分は外光中の青緑の光を透過する状態となる。
なお、領域Ｐ２の部分には光が照射されないため、表示層２０４ＢＧの領域Ｐ２の部分のコレステリック液晶の配向状態はプレーナ相のままであり、外光中の青緑の光を反射する状態である。
【００６８】
次に、制御部１０１は、電圧印加部１０３を制御して端子２０３Ａと端子２０３Ｂへの電圧の印加を停止した後、パルス信号を端子２０３Ｃと端子２０３Ｄに対して印加する。ここで、表示層２０４Ｒに印加される電圧は、Ｖｒ３となる。
そして、感光層２０５ＢＧに吸収される光を書込部１０２から表示装置２の書込面側に照射する。
ここでは、上述した重畳画像に基づいて書込部１０２が制御され、領域Ｐ２にのみ光が照射される。
感光層２０５Ｒにおいて書込部１０２からの光が到達した部分には光電効果が生じ、表示層２０４Ｒの領域Ｐ２の部分に掛かる電圧が増加してＶｒ１とＶｒ２の間の電圧になる。すると、コレステリック液晶の配向状態がフォーカルコニック相に移行し、表示層２０４Ｒの領域Ｐ２の部分は外光中の赤の光を透過する状態となる。
【００６９】
そして、制御部１０１は、領域Ｐ２への光の照射が終了すると、電圧印加部１０３を制御して端子２０３Ｃと端子２０３Ｄへの電圧の印加を停止する。
ここで、表示媒体２１内の光の反射の状態を見ると、上述した動作により、背景Ｂの部分は赤と青緑の光を反射する状態（黄緑の表示）とされ、領域Ｐ２は赤の光を透過し、青緑の光を反射する状態（青緑の表示）とされ、領域Ｐは、青緑の光を透過しつつ赤の光を反射する状態（赤の表示）とされている。
つまり、使用者が追記した画像（領域Ｐ２の部分）が、使用者が選択した青緑で表示された状態となる。
【００７０】
なお、上述した動作説明では、領域Ｐ２を青緑の色とする場合の動作について説明したが、領域Ｐ２を「黒」にする場合、端子２０３Ａと端子２０３Ｂにパルス信号が印可されている時に領域Ｐ２に光を照射し、端子２０３Ｃと端子２０３Ｄにパルス信号が印可されている時にも領域Ｐ２に光を照射し、表示層２０４ＢＧと表示層２０４Ｒの領域Ｐ２の部分がフォーカルコニック相となるように書込部１０２と電圧印加部１０３の制御を行えばよい。
また、領域Ｐ２を「黄緑」にする場合、端子２０３Ａと端子２０３Ｂにパルス信号が印可されている時に領域Ｐ２に光を照射せず、端子２０３Ｃと端子２０３Ｄにパルス信号が印可されている時にも領域Ｐ２に光が照射されないようにし、表示層２０４ＢＧと表示層２０４Ｒの領域Ｐ２の部分がプレーナ相のままとなるように書込部１０２と電圧印加部１０３の制御を行えばよい。
【００７１】
［変形例］
以上、本発明の実施形態について説明したが、本発明は上述した実施形態に限定されることなく、他の様々な形態で実施可能である。例えば、上述の実施形態を以下のように変形して本発明を実施してもよい。
【００７２】
上述した実施形態においては、追記した画像の色については、追記装置３による表示装置２への光の照射が終了した後で選択されているが、追記装置３による表示装置２への光の照射を開始する前に追記する画像の色を予め選択しておいてもよい。
【００７３】
本発明においては、コンピュータ装置と有線または無線で通信を行う通信インターフェースを書込装置１に設け、この通信インターフェースを介してコンピュータ装置から画像データを取得し、この取得した画像データが表す画像を表示装置２に表示させるようにしてもよい。
【００７４】
上述した実施形態においては、赤外線と超音波とを用いて追記装置３の位置を検知しているが、追記装置３の位置を検知する方法は、上述した実施形態の方法に限定されるものではない。例えば、表示媒体２１の表示面側に表示媒体２１と同じ面積または表示媒体２１の面積より広い面積のタッチパネルが位置するように書込装置１を構成してもよい。そして、使用者は、タッチパネルの背後に表示装置２を位置させた後、追記装置３の先端をタッチパネルに接触させつつ移動させ、書込装置１は、タッチパネルで追記装置３が接触している位置を検知し、検知した位置を位置データとして記憶してもよい。
また、表示媒体２１の表示面側にタッチパネルを配置し、タッチパネルを書込装置１に載せた時に表示装置２と書込装置１が電気的に接続され、タッチパネルから出力される信号が書込装置１へ供給されるようにしてもよい。
【００７５】
また、タッチパネルで追記装置３の位置を検知する場合、追記装置３がタッチパネルに接触し続けている間に記憶される位置データを一つの線のデータとして記憶するようにしてもよい。
例えば、図１０に示したように、タッチパネルに接触させながら第１の軌跡Ｔ１で追記装置３を移動させた後、一旦追記装置３をタッチパネルから離し、次に追記装置３をタッチパネルに接触させながら第２の軌跡Ｔ２で追記装置３を移動させた場合、第１の軌跡の位置データと、第２の軌跡の位置データとを分けて記憶し、第１の位置データが示す線と、第２の位置データが示す線とが別々に表示されるように書込部１０２を制御するようにしてもよい。
【００７６】
電圧印加部１０３は、上述した実施形態では図６に示した交流のパルス信号を印加しているが、導電層に対して直流の電圧を印加するようにしてもよい。
【００７７】
上述した実施形態においては、画像データのファイル名や追記した画像の色の選択画面を表示デバイス１０６Ａに表示させているが、この態様に限定されるものではない。例えば、書込装置１によって表示媒体２１に画像データのファイル名を表示させ、表示されたファイル名の位置を追記装置３で触れると、制御部１０１で追記装置３の位置を検知し、触れた位置に表示されたファイル名の画像データの画像を表示媒体２１に表示するようにしてもよい。また、図９や図１３の選択画面についても表示媒体２１に表示し、表示された色の種別の一を追記装置３で触れると、制御部１０１で追記装置３の位置を検知し、触れた位置に表示された色で追記した画像の色を表示するようにしてもよい。
【００７８】
上述した実施形態では、表示装置２を書込装置１から取り外したり、書込装置１へ装着したりすることが可能となっているが、表示装置２を書込装置１に固定し、一体化した構成としてもよい。また、追記装置３についても書込装置１と接続し、追記装置３を駆動
する電力を書込装置１から得るようにしてもよい。
【符号の説明】
【００７９】
１・・・書込装置、２・・・表示装置、３・・・追記装置、１０１・・・制御部、１０２・・・書込部、１０３・・・電圧印加部、１０４・・・センサ部、１０４ａ〜１０４ｃ・・・センサ、１０５・・・インターフェース部、１０６・・・操作部、１０６Ａ・・・表示デバイス、１０６Ｂ・・・タッチパネル、１０７・・・記憶部、３１・・・制御部、３２・・・光源、３３・・・赤外線出力部、３４・・・超音波出力部、３５・・・スイッチ、２０１Ａ〜２０１Ｄ・・・基板層、２０２Ａ〜２０２Ｄ・・・導電層、２０３Ａ〜２０３Ｄ・・・端子、２０４ＢＧ，２０４Ｒ・・・表示層、２０５ＢＧ，２０５Ｒ・・・感光層、２０７・・・ラミネート層
【図１】
2010286992.tif 000003
【図２】
2010286992.tif 000004
【図３】
2010286992.tif 000005
【図４】
2010286992.tif 000006
【図５】
2010286992.tif 000007
【図６】
2010286992.tif 000008
【図７】
2010286992.tif 000009
【図８】
2010286992.tif 000010
【図９】
2010286992.tif 000011
【図１０】
2010286992.tif 000012
【図１１】
2010286992.tif 000013
【図１２】
2010286992.tif 000014
【図１３】
2010286992.tif 000015